(57)【要約】【課題】特に朝夕の太陽光の直射（直達光）を抑制するとともに効率良く採光でき、室内側から室外側を見ることが可能な採光シートを提供する。【解決手段】シート面が鉛直となるように建物開口部に配置されるシート状である採光シート２０であって、透光性を有するシート状の基材層２２と、基材層の一方の面に形成され、光を散乱する光散乱層２３と、を備え、光散乱層は、基材層の一方の面に沿って複数並べて配置された、光を透過する光透過部２４と、隣り合う光透過部間に配置された、光を散乱する光散乱部２５と、を有し、採光シートが建物開口部に配置された姿勢で、光透過部および光散乱部が鉛直方向に延在するとともに水平方向に並列される、採光シートとする。【選択図】図３
2014115532.tif 000002
【特許請求の範囲】
【請求項１】
シート面が鉛直となるように建物開口部に配置されるシート状である採光シートであって、
透光性を有するシート状の基材層と、該基材層の一方の面に形成され、光を散乱する光散乱層と、を備え、
前記光散乱層は、
前記基材層の一方の面に沿って複数並べて配置された、光を透過する光透過部と、
隣り合う前記光透過部間に配置された、光を散乱する光散乱部と、を有し、
前記採光シートが前記建物開口部に配置された姿勢で、前記光透過部および前記光散乱部が鉛直方向に延在するとともに水平方向に並列される、採光シート。
【請求項２】
前記光透過部が、屈折率がＮＰの材料で構成され、
前記光散乱部が、屈折率がＮＢのバインダーと光を散乱させる散乱剤とを含む材料で構成され、
−０．０７≦ＮＢ−ＮＰ≦０．０７
である、請求項１に記載の採光シート。
【請求項３】
０．００≦ＮＢ−ＮＰ≦０．０７である、請求項２に記載の採光シート。
【請求項４】
透光性を有するシート状の第２の基材層と、該第２の基材層の一方の面に形成され、光を散乱する第２の光散乱層と、を備え、
前記第２の光散乱層は、
前記第２の基材層の一方の面に沿って複数並べて配置された、光を透過する第２の光透過部と、
隣り合う前記第２の光透過部間に配置された、光を散乱する第２の光散乱部と、を有し、
前記採光シートが前記建物開口部に配置された姿勢で、前記第２の光透過部および前記第２の光散乱部が水平方向に延在するとともに鉛直方向に並列される、請求項１乃至３のいずれかに記載の採光シート。
【請求項５】
前記採光シートが前記建物開口部に配置された姿勢で、前記第２の光散乱層が前記第１の光散乱層より室外側に配置される、請求項４に記載の光学シート。
【請求項６】
前記第２の光散乱部が、バインダーと光を散乱させる散乱剤とを含む材料で構成され、前記第２の光透過部を構成する材料の屈折率が前記第２の光散乱部の前記バインダーの屈折率より大きい、請求項４または５に記載の採光シート。
【請求項７】
透光性を有する板状のパネルと、
前記パネルの一方の面に貼付される請求項１乃至６のいずれかに記載の採光シートと、
少なくとも前記パネルの周囲を囲むように配置される枠と、を備える採光装置。
【請求項８】
開口部に請求項７に記載の採光装置が設置された建物。
【発明の詳細な説明】
【技術分野】
【０００１】
本発明は、建物等の内部に日光等の外光を採り入れるための採光シート、採光装置、及びこれを用いた建物に関する。
【背景技術】
【０００２】
いわゆる窓ガラスにより、建物の内部に日光等の外光を採り入れて明るく快適な室内空間を形成することはよく知られている。しかし一方で当該窓ガラスに入射した外光をそのまま室内に採り入れると、まぶしさを感じる等の不具合を生じることもある。これに対して、日光が直射することを制御してより快適な態様で日光を室内に採り入れる技術がいくつか提案されている。
【０００３】
特許文献１には、太陽光を建物内に取り入れる部位に配置される太陽光取り入れ制御用の光制御シートが開示されている。これは太陽光を透過する光透過性部と、太陽光を吸収する遮光部群とからなり、遮光部群はシート内の一方向に所定ピッチで遮光部を複数配列させているものである。
【０００４】
また特許文献２には、太陽光を採り入れるよう建物の開口部に設けられる板状の採光用光学素子が開示されている。これは、同一平面上に詰めて設けられた多数のプリズム部から成り、各プリズム部の斜面は、太陽の仰角が臨界仰角より小さい場合には太陽光を透過させ、臨界仰角以上の場合には全反射させる角度となっており、太陽の仰角が臨界仰角以上の場合の全体の採光量は、臨界仰角より小さい場合の全体の採光量に比べて少なくなる形態を備えている。
【先行技術文献】
【特許文献】
【０００５】
【特許文献１】特開２０１０−２５９４０６号公報
【特許文献２】特開２００３−１５７７０７号公報
【発明の概要】
【発明が解決しようとする課題】
【０００６】
しかしながら、特許文献１に開示されているような構成の光制御シートでは、外光（太陽光）の一部を遮光部群が吸収してしまう。すなわち、該光制御シートを建物等の窓に適用した場合、外光の一部を遮光部群が吸収してしまうことによって、効率良く外光を室内に採り入れることが難しかった。
また、特許文献２に開示されている技術では、外側から入射する光について制御できるが、室内側から外を見たときに像が屈折するため、外の景色を見るための鮮明さに不足があった。さらに、特許文献２に開示されている採光用光学素子は、プリズム状の凹凸が室内側に露出しているため、設置場所によっては損傷を受けやすく、耐久性に問題があった。
【０００７】
そこで本発明は上記した問題点に鑑み、特に側方から照射される太陽光の直射（直達光）を抑制するとともに効率良く採光でき、室内側から室外側を見ることも可能な採光シートを提供することを課題とする。また、これを用いた採光装置及び建物を提供する。
【課題を解決するための手段】
【０００８】
以下、本発明について説明する。なお、本発明の理解を容易にするために添付図面の参照符号を括弧書きにて付記するが、これにより本発明が図示の形態に限定されるものではない。
【０００９】
請求項１に記載の発明は、シート面が鉛直となるように建物開口部に配置されるシート状である採光シート（２０）であって、透光性を有するシート状の基材層（２２）と、基材層の一方の面に形成され、光を散乱する光散乱層（２３）と、を備え、光散乱層は、基材層の一方の面に沿って複数並べて配置された、光を透過する光透過部（２４）と、隣り合う光透過部間に配置された、光を散乱する光散乱部（２５）と、を有し、採光シートが建物開口部に配置された姿勢で、光透過部および光散乱部が鉛直方向に延在するとともに水平方向に並列される、採光シートである。
【００１０】
請求項２に記載の発明は、請求項１に記載の採光シートにおいて、光透過部（２４）が、屈折率がＮＰの材料で構成され、光散乱部（２５）が、屈折率がＮＢのバインダーと光を散乱させる散乱剤とを含む材料で構成され、−０．０７≦ＮＢ−ＮＰ≦０．０７である。
【００１１】
請求項３に記載の発明は、請求項２に記載の採光シートにおいて、０．００≦ＮＢ−ＮＰ≦０．０７である。
【００１２】
請求項４に記載の発明は、請求項１乃至３のいずれかに記載の採光シートにおいて、透光性を有するシート状の第２の基材層（２２２）と、該第２の基材層の一方の面に形成され、光を散乱する第２の光散乱層（２２３）と、を備え、第２の光散乱層は、第２の基材層の一方の面に沿って複数並べて配置された、光を透過する第２の光透過部（２２４）と、隣り合う第２の光透過部間に配置された、光を散乱する第２の光散乱部（２２５）と、を有し、採光シート（２２０）が建物開口部に配置された姿勢で、第２の光透過部および第２の光散乱部が水平方向に延在するとともに鉛直方向に並列される。
【００１３】
請求項５に記載の発明は、請求項４に記載の採光シート（２２０）において、採光シートが建物開口部に配置された姿勢で、第２の光散乱層（２２３）が第１の光散乱層（２３）より室外側に配置される。
【００１４】
請求項６に記載の発明は、請求項４または５に記載の採光シート（２２０）において、第２の光散乱部（２２５）が、バインダーと光を散乱させる散乱剤とを含む材料で構成され、第２の光透過部（２２４）を構成する材料の屈折率が第２の光散乱部のバインダーの屈折率より大きい。
【００１５】
請求項７に記載の発明は、透光性を有する板状のパネル（１３）と、パネルの一方の面に貼付される請求項１乃至６のいずれかに記載の採光シート（２０）と、少なくともパネルの周囲を囲むように配置される枠（１１）と、を備える採光装置（１０）である。
【００１６】
請求項８に記載の発明は、開口部に請求項７に記載の採光装置（１０）が設置された建物（１）である。
【発明の効果】
【００１７】
本発明によれば、特に朝夕の日差しなどのように側方から照射される太陽光の直射（直達光）を抑制するとともに効率良く採光でき、室内側から室外側を見ることも可能となる。
【図面の簡単な説明】
【００１８】
【図１】第一実施形態を説明する図で、建物１の外観斜視図である。
【図２】採光装置１０を正面視した図である。
【図３】採光パネル１２の層構成を説明する図である。
【図４】光散乱層２３の形態を説明する図である。
【図５】図５（ａ）は光散乱部の脚部が凸状である例、図５（ｂ）は光散乱部の脚部が凹状である例、図５（ｃ）は光散乱部の脚部が折れ線状である例、図５（ｄ）は光散乱部の下底が凹状である例、図５（ｅ）は光散乱部が三角形断面である例である。
【図６】採光シート２０の効果を説明する１つの図である。
【図７】見込み角θ１を決める１つの態様を説明する図である。
【図８】採光シートの変形例である採光パネル１２’の層構成を説明する図である。
【図９】第二実施形態を説明する図で、採光パネル１１２の層構成を説明する図である。
【図１０】光散乱層１２３の形状を説明する図である。
【図１１】第三実施形態を説明する図で、採光パネル２１２の層構成を説明する図である。
【図１２】第２の光散乱層２２３の形態を説明する図である。
【図１３】第２の光散乱層２２３の効果を説明する１つの図である。
【図１４】第２の光散乱層２２３の効果を説明する他の図である。
【図１５】見込み角θ２１を決める１つの態様を説明する図である。
【図１６】見込み角θ２１を決める他の態様を説明する図である。
【図１７】実施例１の採光パネルの構成を説明する図である。
【発明を実施するための形態】
【００１９】
本発明の上記した作用及び利得は、次に説明する発明を実施するための形態から明らかにされる。以下本発明を図面に示す実施形態に基づき説明する。ただし本発明は当該実施形態に限定されるものではない。なお、以下に示す各図では、分かりやすさのため寸法や形状を誇張して記載することがある。また、各図では見易さのため、繰り返しとなる符号は一部を省略することがある。
【００２０】
図１は第一実施形態を説明する図であり、採光シート２０（図３参照）が備えられた建物１の外観斜視図である。建物１はいわゆるオフィスビルである。建物１の南側などに面する外壁には室内外を連通する複数の開口部が設けられる。採光シート２０を具備する採光装置１０は当該開口部に配置されている。
図２には１つの採光装置１０を室外側から正面視した図を表した。図２に示したように、採光装置１０は枠１１と該枠１１の枠組み内に配置された採光パネル１２とを備えている。採光装置１０は、いわゆる窓として構成されている。そして当該採光装置１０が上記のように建物１の開口部に配置される。
【００２１】
図３には図２にＩＩＩ−ＩＩＩで示した線に沿った採光装置１０の水平方向断面のうち、採光パネル１２の層構成を模式的に表した。図３では採光パネル１２のパネル面が鉛直になるように建物１に取り付けられた姿勢で表されており、図３の紙面左が室外側、紙面右が室内側、紙面手前が天側、紙面奥が地側となる。
【００２２】
採光パネル１２は、図３からわかるように、パネル１３、及び該パネル１３に貼合された採光シート２０を備えている。また、採光シート２０は、室内側からハードコート層２１、基材層２２、光散乱層２３、及び接着層２６を備えている。以下、これらの各層について説明する。
【００２３】
パネル１３は、ガラスパネルや樹脂パネル等、通常の建物や乗り物の窓等に用いられる透光性を有する板状の透光パネルである。従って、パネル１３を構成する部材としては公知の板ガラスや樹脂板を用いることができる。上記した枠１１は少なくとも当該パネル１３の周囲に配置されることにより、採光パネル１２が枠１１の枠組み内に取り付けられる。
【００２４】
ハードコート層２１は、表面保護を目的として、採光シート２０のうちパネル１３とは反対側の最表面に設けられる層である。ハードコート層２１は透明な樹脂層として形成することができる。擦り傷、表面汚染に対する耐性の観点から、ハードコート層２１は硬化性樹脂が硬化してなる樹脂硬化層として形成することが好ましい。
【００２５】
ハードコート層２１を構成する樹脂としては、例えば、電離放射線硬化性樹脂や、その他公知の硬化性樹脂等を要求性能に応じて適宜採用すればよい。当該電離放射線硬化性樹脂としては、例えば、アクリレート系、オキセタン系、シリコーン系等が挙げられる。また、アクリレート系の電離放射線硬化性樹脂としては、単官能（メタ）アクリレートモノマー、２官能（メタ）アクリレートモノマー、３官能以上の（メタ）アクリレートモノマーなどの（メタ）アクリル酸エステルモノマー、ウレタン（メタ）アクリレート、エポキシ（メタ）アクリレート、ポリエステル（メタ）アクリレート等の（メタ）アクリル酸エステルオリゴマー乃至は（メタ）アクリル酸エステルプレポリマーなどからなる。さらに３官能以上の（メタ）アクリレートモノマーを例示すれば、トリメチロールプロパントリ（メタ）アクリレート、ペンタエリスリトールテトラ（メタ）アクリレート、ジペンタエリスリトールヘキサ（メタ）アクリレート等がある。
【００２６】
また、ハードコート層２１には、耐汚染性向上の機能を追加してもよい。これは例えばシリコーン系化合物、フッ素系化合物などを添加することにより可能となる。さらにその他の機能として帯電防止性向上、撥水性向上の機能を有するものとしてもよい。
【００２７】
帯電防止性向上のために用いることができる材料としては、電子伝導タイプではＰＥＤＯＴ−ＰＳＳ（ＰＥＤＯＴ（Ｐｏｌｙ（３，４−ｅｔｈｙｌｅｎｅｄｉｏｘｙｔｈｉｏｐｈｅｎｅ）；３，４−エチレンジオキシチオフェンポリマー）とＰＳＳ（ｐｏｌｙ（ｓｔｙｒｅｎｅｓｕｌｆｏｎａｔｅ）；スチレンスルホン酸ポリマー）とを共存）などが挙げられ、イオン導電タイプではリチウム塩系材料等が挙げられる。
【００２８】
また、撥水性向上のために用いることができる材料としては、フッ素系化合物等が挙げられる。
【００２９】
基材層２２は、光散乱層２３を形成するための基材となる層である。従って基材層２２は、透光性を有するとともに光散乱層２３の変形を防止できるように支持する。かかる観点から、基材層２２を構成する材料の具体例としては、アクリル、スチレン、ポリカーボネート、ポリエチレンテレフタレート、アクリロニトリル等のうちの１つ以上を主成分とする透明樹脂や、エポキシアクリレートやウレタンアクリレート系の反応性樹脂（電離放射線硬化型樹脂等）等を挙げることができる。
【００３０】
基材層２２の厚さは特に限定されないが、２５μｍ以上３００μｍ以下であることが好ましい。基材層２２の厚さを上記範囲とすることによって、加工しやすくなる。例えば、基材層２２をある程度厚くすることによって皺の発生を防止しやすくなる。また、基材層２２をある程度薄くすることによって、採光シート２０を製造する工程のうち中間工程において、基材層２２を含むシートの巻き取りが容易になる。
【００３１】
光散乱層２３は光透過部２４及び光散乱部２５を有している。光透過部２４は、図３に示した断面を有して基材層２２の面に沿った一方向（建物１に配置された姿勢で鉛直方向）に延びるように配置されるとともに、該一方向とは異なる方向（建物１に配置された姿勢で水平方向）の基材層２２の面に沿って所定の間隔で複数並列されている。本実施形態では隣り合う光透過部２４は基材層２２側の端部で連結され、一体化されている。
一方、光散乱部２５は隣り合う光透過部２４の間に配置されている。
【００３２】
図４には光散乱層２３の一部を拡大した図を示した。
光透過部２４は、光を透過する部位であり、光散乱層２３のうち光透過部２４が配置された部位における基材層２２側の面とその反対側面（接着層２６側の面）とは平行且つ平滑に形成されている。これによって、後に説明するように採光シート２０を通して室外側の景色がさらに見やすくなる。好ましくは、光透過部２４は光を散乱させることなく透過する。これにより背面側の景色の見易さが向上する。ここに「光を散乱させることなく透過する」とは、意図的に散乱させる材料等を添加することなく形成された部位であることを意味し、材料中を光が透過するときに不可避的に散乱が生じることは許容される。
【００３３】
本実施形態では光透過部２４は図３、図４に表れる断面で２つの光散乱部２５間において略台形の断面を有しており、室外側が短い上底、室内側が長い下底であり光散乱部２５との界面を構成する辺が脚部となっている。
【００３４】
光透過部２４を構成する材料としては、例えば、アクリル、スチレン、ポリカーボネート、ポリエチレンテレフタレート、アクリロニトリル等の１つ以上を主成分とする透明樹脂や、エポキシアクリレートやウレタンアクリレート系の反応性樹脂（電離放射線硬化型樹脂等）を挙げることができる。
ここで光透過部２４を構成する材料の屈折率は、基材層２２の屈折率と同じであってもよいし、異なっていてもよい。ただし両者間で屈折率差があるとその界面で光が偏向されてしまう可能性が高まるので、同じ材料であること、又は異なる材料であっても屈折率差が小さい、あるいは屈折率差がないことが好ましい。
【００３５】
光散乱部２５は、隣り合う２つの光透過部２４間に形成される部位である。すなわち、上記したように光透過部２４はシート面に沿った方向に所定の間隔で並列され、光透過部２４間には、略台形断面を有する凹部が形成されている。本実施形態における凹部は、室外側（パネル１３側）に長い下底、室内側（基材層２２側）に短い上底を有する断面の溝であり、ここに光散乱部２５を構成する材料が充填されることにより光散乱部２５が形成されている。従って光散乱部２５は凹部に基づいた断面を具備している。
【００３６】
光散乱部２５は、ここに照射された光を散乱反射することができるように構成された層である。そのため、光散乱部２５には光を散乱反射するための材料が充填されている。光を散乱させるための材料は特に限定されることはないが、例としては、透明な樹脂（バインダー）に白色顔料や銀色顔料等の光を散乱させる散乱剤を分散させた材料が挙げられる。白色顔料は、例えば、酸化チタン、二酸化チタン、酸化マグネシウム、酸化亜鉛などの金属酸化物が挙げられる。銀色顔料としては、例えば、アルミニウム、クロムなどの金属が挙げられる。これにより効率よく光を散乱反射させることができる。また、バインダー樹脂は光透過部２４を構成する材料と同様のものを用いることもできる。
また、透明な樹脂（バインダー）に該樹脂とは屈折率が異なる透明な散乱剤を分散させた材料で光散乱部２５を構成してもよい。上記バインダーとしては光透過部２４を構成する材料と同様のものを用いることができる。上記透明な散乱剤としては、例えば、（メタ）アクリル酸エステル及びスチレンを中心としたモノマーを重合して得られた架橋粒子が挙げられる。当該架橋粒子の具体例としては、アイカ工業株式会社製のガンツパール（登録商標）が挙げられる。上記架橋粒子は、アクリル酸エステル及びスチレンとの混合比を変えることによって、屈折率を制御することができる。例えば、アクリル比を高くすることで屈折率を１．４９程度にすることができ、スチレン比を高くすることで屈折率を１．５９程度にすることができる。また、散乱剤にはウレタン架橋粒子を用いることも可能である。当該ウレタン架橋粒子の具体例としては、根上工業株式会社製のアートパール（登録商標）が挙げられる。また、散乱剤は中空粒子にすることも可能である。
【００３７】
光散乱部２５に用いる上記バインダーの屈折率は特に限定されることはないが、汎用性から１．５６から１．４９の範囲が好ましい。
なお、光透過部２４側から光透過部２４と光散乱部２５との界面に達した光を該界面で全反射させずに光散乱部２５に入射させやすくする観点から、光透過部２４を構成する材料の屈折率と光散乱部２５に用いるバインダーの屈折率との差が小さく、又は、光透過部２４を構成する材料の屈折率が光散乱部２５に用いるバインダーの屈折率より小さい方がより好ましい。例えば、光透過部２４を構成する材料の屈折率をＮＰとし、光散乱部２５に用いるバインダーの屈折率をＮＢとすると、−０．０７≦ＮＢ−ＮＰ≦０．０７であることが好ましく、０．００≦ＮＢ−ＮＰ≦０．０７であることがより好ましい。
【００３８】
さらに、本実施形態では光散乱部２５が次のような構成を備えている。図４を参照しつつ説明する。
【００３９】
２つの光散乱部２５の間には上記のように光透過部２４が配置される。従って、図４にＩＶａで示したように光透過部２４の対角線に相当する線を定義することができる。より詳しくは、採光シート２０が建物開口部に配置された姿勢での光散乱層２３の厚さ方向の水平断面において、隣り合う光散乱部２５の向かい合う辺について、一方の辺の室内側端部と、他方の辺の室外側端部とを結ぶ線を見込み線ＩＶａとする。また、当該見込み線ＩＶａが採光シート２０のシート面の法線となす角のうち９０°より小さい方の角を見込み角θ１とする。本実施形態では当該θ１が所定の値をとることが好ましい。θ１の具体的な説明は太陽光の光路に関係するので、後で光路例とともに説明する。
【００４０】
また、光散乱部２５の台形断面における脚部は、図４からわかるように、一方の脚部は採光シート２０のシート面の法線に対してθＷを有して傾斜し、他方の脚部は同様にθＥを有して傾斜している。
θＷおよびθＥは、光散乱層２３の作製を容易にする等の観点から０°以上３０°以下とすることが好ましい。
【００４１】
光散乱部２５が並列されるピッチは、上記θ１が所定の値を満たす範囲であれば特に限定されないが、１０μｍ以上２００μｍ以下であることが好ましい。光散乱部２５のピッチが狭すぎると微細形状になるので製造の際に加工が困難になる虞がある。一方、光散乱部２５のピッチが広すぎると、金型で成形する際に材料の離型性が低下する傾向にある。
【００４２】
また、光散乱部２５の断面のうち、室外側（基材層２２と反対側で光透過部間の凹部の開口側）の大きさは特に限定されないが、５μｍ以上１５０μｍ以下であることが好ましい。この幅が狭すぎると微細形状になるので加工が困難になる虞がある。一方、この幅が広すぎると金型で成形する際に材料の離型性が低下する傾向にある。
【００４３】
光散乱部２５の厚さ方向の大きさ（図４の紙面左右方向）は特に限定されないが、１０μｍ以上２００μｍ以下であることが好ましい。これが小さすぎると、光散乱部２５の加工自体が困難になる虞がある。一方、これが大きすぎると光散乱部２５を形成するための金型の製造、及び金型からの材料の離型性が低下し、生産性が悪くなる虞がある。
【００４４】
本実施形態では光散乱部２５の断面がθＷ＝θＥである等脚台形の例を説明したが、必ずしもこれに限らず、２つの脚部が異なるようにθＷとθＥとを変えてもよい。
【００４５】
また、脚部は曲線状、折れ線状であってもよい。図５に各例の光散乱部の断面形状を表した。
図５（ａ）は脚部が凸状の曲線の光散乱部２５ａの例、図５（ｂ）は脚部が凹状の曲線の光散乱部２５ｂの例、及び図５（ｃ）は脚部が折れ線状の光散乱部２５ｃの例である。
図５（ｄ）には、光散乱部の断面うち下底側（光透過部間に形成される溝の開口側）が凹状に形成されている例の光散乱部２５ｄを表した。この場合、当該凹状の内側には隣接する接着層２６の接着剤が充填される。
図５（ｅ）には、光散乱部の断面形状が三角形である例の光散乱部２５ｅを表した。このように光散乱部は三角形断面を有するものであってもよい。
【００４６】
また、光散乱部２５と光透過部２４との界面で光を散乱反射させ易くするという観点からは、光散乱部２５と光透過部２４との界面を微小な凹凸が無数に形成された面であるマット面としてもよい。
【００４７】
図３に戻って他の構成についても説明を続ける。
【００４８】
接着層２６は、パネル１３に採光シート２０を接着するための層である。接着層２６を構成する材料としては、パネル１３に採光シート２０を接着できるものであれば特に限定されない。すなわち、接着層２６を構成する材料としては、公知の粘着剤、接着剤、光硬化性樹脂、熱硬化性樹脂等を挙げることができる。接着層２６を構成する材料のより具体的な例としては、アクリル系の粘着剤を挙げることができ、さらに具体的にはアクリル系共重合体とイソシアネート化合物とを組み合わせた粘着剤を挙げることができる。ただし、接着層２６を構成する材料は、採光シート２０の性質上、透光性、耐候性に優れた材料であることが好ましい。
【００４９】
接着層２６の厚さは特に限定されないが、１０μｍ以上１００μｍ以下であることが好ましい。接着層２６の厚さを１０μｍ以上とすることによって、パネル１３と採光シート２０との密着性を向上させやすくなる。また、接着層２６の厚さを１００μｍ以下とすることによって、接着層２６の厚さを均一にしやすくなる。
【００５０】
以上説明した採光シート２０を具備する採光パネル１２により採光装置１０を形成し、これを図１に示したように建物１の開口部に配置する。次に、このように採光シート２０が配置された場面における作用、及び上記説明した見込み角θ１の好ましい値について、主要な光路に基づいて説明する。説明に必要な光路例を以下に示す図面に適宜表した。なお各図面に表した光路例は概念的なものであり、屈折、反射の程度等を厳密に表したものではない。
【００５１】
図６に１つの光路例である太陽からの光ＬＳ１を示した。後述するように、採光シート２０によれば、日の出の後や日の入りの前のように低い位置に太陽があるときの日光が直接室内に照射されることを抑制できる。日の出の後や日の入りの前のように低い位置に太陽があるときに日が射すのは主に東側、南側、西側などに面した窓である。図６では、紙面左を南、紙面上を西、紙面下を東と仮定し、西日が射している場合を想定している。
【００５２】
図６からわかるようにＬＳ１はそのときの太陽の位置に基づく入射角（採光シート２０のシート面の法線方向に対する角）θＳ１で採光パネル１２に入射する。採光パネル１２に入射した光ＬＳ１は採光パネル１２を透過するうちに光散乱層２３の光透過部２４内を進む。光透過部２４の屈折率をＮＰ、室外の屈折率をＮ０とすれば、光透過部２４内で光ＬＳ１は下記式（１）で表される太陽光進行角θＰ１で進む。
【００５３】
【数１】
2014115532.tif 000003
【００５４】
太陽光進行角θＰ１で進行した太陽光が光透過部２４と光散乱部２５との界面に達した場合、その多くは光散乱部２５に入射する。上述したように、光透過部２４を構成する材料の屈折率と光散乱部２５に用いるバインダーの屈折率との差が小さく、又は、光透過部２４を構成する材料の屈折率が光散乱部２５に用いるバインダーの屈折率より小さくなっているからである。光散乱部２５に入射した太陽光は、図６に示したように、光散乱部２５に含まれる散乱剤によって散乱反射され、まぶしさの原因となる直達光が室内に照射されることを抑制できる。
【００５５】
以上からわかるように、採光シート２０によれば、見込み角θ１によらず光ＬＳ１のように太陽光の少なくとも一部を散乱反射させて室内側に提供することができ、太陽光の室内への入射量を大きく減じることなく、かつ、少なくとも一部の直達光（いわゆる直射日光）をなくすことが可能となる。これにより明るく、快適な室内空間を形成することができる。
【００５６】
さらに、採光シート２０には上記したように光透過部２４が備えられており、光透過部２４が配置される部位の光散乱層２３の表裏面は平行、平滑に形成されている。これにより、図６に示したように室外側の景色を伴う光ＬＫ１は歪が抑制されて室内に入射することができる。すなわち、室内側から室外側の景色を視認することができる。従って、採光シート２０は、さらに室外側の景色を視認し易い構造を具備している。
【００５７】
上記のように採光シート２０によれば、見込み角θ１によらず、効率よく室内に太陽光を取り入れつつも直達光の少なくとも一部をなくすことができる。ただし、より効果的に太陽光を光散乱部２５に入射させ、太陽光を散乱させて室内側に出射させる観点から、見込み角θ１を所定の角度範囲に規定することが好ましい。以下に詳しく説明する。
【００５８】
図７に説明図を示した。図７では、紙面左が南、紙面上が西、紙面下が東である。
建物内にいる人にとって日の光が眩しいと感じやすいのは、太陽が低い位置にある日の出の後や日の入りの前である。ここでは、冬至の夕日（日の入り直前の太陽）の光の入射角θＳＳを考える。すなわち、少なくとも一年のうちで日の入り直前の太陽からの光の入射角が最も小さいときの入射角θＳＳで太陽光が採光パネル１２に入射したときに、直達光の全てを光散乱部２５に到達させる観点からθ１を規定することができる。図７からわかるように、入射角θＳＳで入射した光ＬＳＳが必ず光散乱部２５に達するための限度は、光透過部２４内を光ＬＳＳが見込み線に沿って進む状況である。すなわち、光透過部２４内における太陽光進行角θＰＳが見込み角θ１と同じとなっていればよい。従って、これは、空気の屈折率をＮ０、光透過部の屈折率をＮｐとしたとき、屈折率、及び入射角の関係式により下記式（２）で表される。
【００５９】
【数２】
2014115532.tif 000004
【００６０】
式（２）から、見込み角θ１を下記式（３）を満たすように構成することにより、少なくとも一年のうちで日の入り直前の太陽からの光の入射角が最も小さいときの入射角θＳＳで太陽光が採光パネル１２に入射したときに、太陽からの直接光を全て光散乱部２５に到達させることができる。
【００６１】
【数３】
2014115532.tif 000005
【００６２】
θＳＳは、所定の場所における一年のうちで日の入り直前の太陽からの光の入射角が最も小さいときの入射角であるから、当該所定の場所では、日の入り直前の太陽からの光の入射角を考えたときにこれ以下の入射角とはならない。従って、θ１をθＳＳとしたとき、当該所定の場所では一年中、日の入り直前の直達光を全て光散乱部２５に到達させることができる。なお、より太陽の位置が高い（太陽光の入射角が小さくなる）ときの直達光までをも同様に光散乱部２５に全て到達させるためには、式（２）、式（３）を満たしつつ、さらに式（２）、式（３）のθＳＳのかわりに当該所定の入射角を代入すれば同様にθ１のとるべき値を得ることができる。
【００６３】
このように見込み角θ１を所定の角度にするための手段としては、例えば、光散乱部のピッチ、光散乱部の脚部の角度（図４のθＷ、θＥ）、光散乱部の厚さ方向（図４の紙面左右方向）の大きさ、光透過部の屈折率を変更することを挙げることができる。これらを単独、又は複数組み合わせてθ１を所定の角度に調整することが可能である。
【００６４】
θ１を小さくすることにより、季節による太陽光の入射角の違いだけでなく、一日のうちにおける太陽の移動に伴う入射角の変化に対しても対応することができ、より多くの太陽光を光散乱部に到達させて全反射や散乱反射し、室内側に提供することが可能となる。
【００６５】
ここでより具体的な例を挙げる。日本国内を考えたとき、札幌（北緯４３度）、東京（北緯３５．５度）、沖縄（北緯２６度）における一年のうち日の入り直前の太陽光の入射角が最も小さい時の入射角（θＳＳ）はそれぞれ、約３２°、約２９°、約２６°となる。これに基づいて、日本国内におけるθ１の範囲を下記式（４）のように構成してもよい。
【００６６】
【数４】
2014115532.tif 000006
【００６７】
式（４）によれば、日本国内の概ね全域において少なくとも日の入り直前の直達光の全てを光散乱部に到達させることができる。
【００６８】
なお、夕日を例にしてこれまで説明したが、朝日（日の出直後の太陽光）についても、これまでに示した図の紙面を上下反対することによって同様に考えることができる。
【００６９】
採光シート２０には上記した各層のいずれかに、他の機能を付加させるための構成を備えてもよい。これには例えば、紫外線吸収剤、熱線吸収剤、又は近赤外線吸収剤を添加し、紫外線吸収機能、熱線吸収機能、又は近赤外線吸収機能を備えさせることが考えられる。
【００７０】
近赤外線吸収機能は、近赤外線吸収剤（近赤外線吸収色素）を上記した各層の１つ又は複数に添加したり、塗布したりすることにより向上させることができる。近赤外線吸収色素としては、８００ｎｍ以上１１００ｎｍ以下の波長領域を吸収するものを用いることが好ましい。該波長領域の近赤外線の透過率が２０％以下であることが好ましく、１０％以下であることがさらに好ましい。一方で、近赤外線吸収色素は可視光領域、即ち、３８０ｎｍ以上７８０ｎｍ以下の波長領域で、十分な透過率を有することが好ましい。
【００７１】
紫外線吸収機能は、以下に例示する紫外線吸収剤を上記した各層の１つ又は複数に添加したり、塗布したりすることにより向上させることができる。紫外線吸収剤としては、ベンゾトリアゾール系紫外線吸収剤（ＴＩＮＵＶＩＮ  Ｐ、ＴＩＮＵＶＩＮ  Ｐ  ＦＬ、ＴＩＮＵＶＩＮ  ２３４、ＴＩＮＵＶＩＮ  ３２６、ＴＩＮＵＶＩＮ  ３２６  ＦＬ、ＴＩＮＵＶＩＮ  ３２８、ＴＩＮＵＶＩＮ  ３２９、ＴＩＮＵＶＩＮ  ３２９  ＦＬ、全てＢＡＳＦジャパン株式会社製）や、トリアジン系紫外線吸収剤（ＴＩＮＵＶＩＮ  １５７７  ＥＤ、ＢＡＳＦジャパン株式会社製）、ベンゾフェノン系紫外線吸収剤（ＣＨＩＭＡＳＳＯＲＢ  ８１、ＣＨＩＭＡＳＳＯＲＢ  ８１  ＦＬ、全てＢＡＳＦジャパン株式会社製）、ベンゾエート系紫外線吸収剤（ＴＩＮＵＶＩＮ  １２０、ＢＡＳＦジャパン株式会社製）などが挙げられる。
【００７２】
熱線吸収機能は、以下に例示する熱線吸収剤を上記した各層の１つ又は複数に添加したり、塗布したりすることにより向上させることができる。熱線吸収剤としては、アンチモンドープ酸化スズ（ＡＴＯ）またはスズドープ酸化インジウム（ＩＴＯ）、フタロシアニン化合物などの金属酸化物超微粒子などが挙げられる。
【００７３】
以上説明した採光パネル１２は例えば次のように製造することができる。すなわち、採光パネル１２は、パネル１３に採光シート２０を貼合することによって製造することができる。ここで採光シート２０は、例えば次のように作製することができる。
【００７４】
採光シート２０のうち光散乱層２３は金型ロールを用いる方法により形成することができる。すなわち、円筒状であるロールの外周面に光散乱層２３の光透過部２４を転写可能な凹凸が設けられた金型ロールを準備する。そして金型ロールとこれに対向するように配置されたニップロールとの間に、基材層２２となる基材を挿入する。そして、基材のうち一方の面と金型ロールとの間に光透過部２４を構成する組成物を供給しながら金型ロール及びニップロールを回転させる。これにより金型ロールの表面に形成された凹凸の凹部内に光透過部２４を構成する組成物が充填され、該組成物が金型ロールの凹凸の表面形状に沿ったものとなる。
【００７５】
ここで、光透過部２４を構成する組成物としては、上記したものが好ましいが、さらに具体的には次の通りである。すなわち、光硬化型プレポリマー（Ｐ１）に、反応性希釈モノマー（Ｍ１）及び光重合開始剤（Ｉ１）を配合した光硬化型樹脂組成物を用いることができる。
【００７６】
上記光硬化型プレポリマー（Ｐ１）としては、例えば、エポキシアクリレート系、ウレタンアクリレート系、ポリエーテルアクリレート系、ポリエステルアクリレート系、ポリチオール系等のプレポリマーを挙げることができる。
【００７７】
また、上記反応性希釈モノマー（Ｍ１）としては、例えば、ビニルピロリドン、２−エチルヘキシルアクリレート、β−ヒドロキシアクリレート、テトラヒドロフルフリルアクリレート等を挙げることができる。
【００７８】
また、上記光重合開始剤（Ｉ１）としては、例えば、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン（ベンゾフェノン等）、リン酸エステル化合物（１，３，５−トリメチルベンゾイルジフェニルホスフィンオキシド、ビス（２，４，６−トリメチルベンゾイル）−フェニルホスフィンオキサイド等）、ベンジルジメチルケタール等が挙げられる。これらの中から、光硬化型樹脂組成物を硬化させるための照射装置及び光硬化型樹脂組成物の硬化性から任意に選択することができる。なお、光透過部２４の着色防止の観点から好ましいのは、２−ヒドロキシ−２−メチル−１−フェニルプロパン−１−オン、１−ヒドロキシシクロヘキシルフェニルケトン及びビス（２，４，６−トリメチルベンゾイル）−フェニルホスフィンオキサイドである。
【００７９】
これらの光硬化型プレポリマー（Ｐ１）、反応性希釈モノマー（Ｍ１）及び光重合開始剤（Ｉ１）は、それぞれ、１種類で、又は２種以上を組み合わせて用いることができる。
【００８０】
金型ロールと基材との間に挟まれ、ここに充填された光透過部２４を構成する組成物に対し、基材側から光照射装置により光を照射する。これにより、光透過部２４を構成する組成物を硬化させ、その形状を固定させることができる。そして、離型ロールにより、基材層２２上に成形された光透過部２４を金型ロールから離型する。
【００８１】
次に、光透過部２４の凹部に光散乱部２５を構成する組成物を充填して硬化させることによって、光散乱部２５を形成することができる。このようにして、基材層２２上に光散乱層２３を形成することが可能である。
【００８２】
このようにして形成された光散乱層２３上に接着剤を積層して接着層２６とし、基材層２２にハードコート層２１を接着剤等により貼り付ける。これにより採光シート２０となる。
【００８３】
図８は変形例にかかる採光シート２０’を備える採光パネル１２’を説明する図であり、図６に相当する図である。採光シート２０’は、光散乱部２５’がここに到達した光を透過散乱して室内側に出射する材料により構成されている。光散乱部２５’以外は採光シート２０と同じなので、当該同じ構成については説明を省略する。
【００８４】
光散乱部２５’は、透明なバインダー樹脂と該バインダー樹脂とは屈折率が異なる透明な散乱剤とを混合させた材料で構成することができる。透明なバインダー樹脂としては光透過部２４と同様のものを用いることができる。一方、当該透明な散乱剤としては、例えば、（メタ）アクリル酸エステル及びスチレンを中心としたモノマーを重合して得られた架橋粒子が挙げられる。当該架橋粒子の具体例としては、アイカ工業株式会社製のガンツパール（登録商標）が挙げられる。上記架橋粒子は、アクリル酸エステル及びスチレンとの混合比を変えることによって、屈折率を制御することができる。例えば、アクリル比を高くすることで屈折率を１．４９程度にすることができ、スチレン比を高くすることで屈折率を１．５９程度にすることができる。また、散乱剤にはウレタン架橋粒子を用いることも可能である。当該ウレタン架橋粒子の具体例としては、根上工業株式会社製のアートパール（登録商標）が挙げられる。また、散乱剤は中空粒子にすることも可能である。
【００８５】
光散乱層２５’を備える採光シート２０’によれば、図８からわかるように、光散乱部２５’に到達した光を散乱させつつ透過して室内側に出射することができる。これにより採光シート２０と同様に室内側に太陽光を出射しつつ直達光を減らすことが可能となる。
光散乱部２５’の形態を含め、他の部位の形態については採光シート２０と同様に考えることができる。
【００８６】
図９は第二実施形態を説明する図であり、採光パネル１１２の層構成を表す断面図で、図３に相当する。採光パネル１１２は、上記説明した採光パネル１２と一部異なる構成を具備し、他の一部は採光パネル１２と同様である。当該同様の構成については同じ符号を付して説明を省略する。
【００８７】
採光パネル１１２は、パネル１３と、該パネル１３の室内側に配置された採光シート１２０と、を具備している。パネル１３への採光シート１２０の取り付けは採光パネル１２と同様に接着層２６により行われている。
【００８８】
採光シート１２０は、室内側からハードコート層２１、保護層１２１、接着層１２２、光散乱層１２３、基材層２２、接着層２６を備えている。以下、保護層１２１、接着層１２２、光散乱層１２３について説明する。
【００８９】
本実施形態で保護層１２１は、ハードコート層２１の室外側面に積層され、基材層２２と対になり、保護層１２１と基材層２２との間に光散乱層１２３を挟むように配置される層である。これにより、基材層２２と併せて光散乱層１２３を保護する機能を有する。保護層１２１はこのような機能を有するものであれば、その材料は特に限定されることはない。保護層１２１は、例えば上記した基材層２２と同様の材料により構成することができる。
【００９０】
接着層１２２は、保護層１２１と光散乱層１２３とを接着して積層するための層である。接着層１２２には接着層２６と同様の構成を適用することができる。
【００９１】
光散乱層１２３は光透過部１２４及び光散乱部１２５を有している。本実施形態における光散乱層１２３も、光透過部１２４が図１０に示した断面を有して基材層２２の面に沿った一方向（建物１に配置された姿勢で鉛直方向）に延びるように配置されるとともに、該一方向とは異なる方向（建物１に配置された姿勢で水平方向）の基材層２２の面に沿って所定の間隔で複数並列されている。本実施形態では隣り合う光透過部１２４が基材層２２側の端部で連結され、一体化されている。
一方、光散乱部１２５は光透過部１２４の間に配置されている。
【００９２】
図１０には光散乱層１２３の一部を拡大した図を示した。
光透過部１２４は、光を透過する部位であり、光散乱層１２３のうち光透過部１２４が配置された部位における基材層２２側の面とその反対側面（接着層１２２側の面）とは平行に形成されている。これによって、採光シート２０と同様に背面側の景色がさらに見やすくなる。好ましくは、光透過部１２４は光を散乱させることなく透過する。これにより背面側の景色の見易さが向上する。
【００９３】
本実施形態では光透過部１２４は図９、図１０に表れる断面で光散乱部１２５間において略台形の断面を有しており、室内側が短い上底、室外側が長い下底であり光散乱部１２５との界面を構成する辺が脚部となっている。すなわち採光シート２０の光散乱層２３とは室内外が逆となる構成とされている。光透過部１２４を構成する材料は、上記した光透過部２４と同様のものを適用することができる。
【００９４】
光散乱部１２５は、隣り合う２つの光透過部１２４間に形成される部位である。すなわち、上記したように光透過部１２４はシート面に沿った方向に所定の間隔で並列され、光透過部１２４間には、略台形断面を有する凹部が形成されている。本実施形態における凹部は、室内側（保護層１２１側）に長い下底、室外側（基材層２２側）に短い上底を有する断面の溝であり、ここに光散乱部１２５を構成する材料が充填されることにより光散乱部１２５が形成されている。従って光散乱部１２５は凹部に基づいた断面を具備している。光散乱部１２５を構成する材料は上記した光散乱部２５と同様のものを適用することができる。
【００９５】
また、光散乱層１２３においても同様に見込み角θ１を定義することができる。従って、図１０にＸａで示したように隣り合う光散乱部１２５の向かい合う辺について、一方に配置される光散乱部１２５の辺の室内側端部と、隣接して他方に配置される光散乱部１２５の辺の室外側端部とを結ぶ線を見込み線Ｘａとし、該見込み線Ｘａが光散乱層１２３の層面の法線方向となす角のうち９０°より小さい方の角を見込み角θ１とする。
当該見込み角θ１が取るべき範囲の考え方については、これまでに説明した通りである。また、その他形状についても同様の考え方により形成することができる。
【００９６】
図１１は第三実施形態を説明する図であり、採光パネル２１２の層構成を表す断面図で、図３に相当する。採光パネル２１２は、上記説明した採光パネル１２と一部異なる構成を具備し、他の一部は採光パネル１２と同様である。当該同様の構成については同じ符号を付して説明を省略する。
【００９７】
採光パネル２１２は、パネル１３と、該パネル１３の室内側に配置された採光シート２２０と、を具備している。パネル１３への採光シート２２０の取り付けは採光パネル１２と同様に接着層２６により行われている。
【００９８】
採光シート２２０は、室内側からハードコート層２１、基材層２２、光散乱層２３、接着層２２１、第２の基材層２２２、第２の光散乱層２２３、接着層２６を備えている。以下、接着層２２１、第２の基材層２２２、第２の光散乱層２２３について説明する。
【００９９】
接着層２２１は、光散乱層２３と第２の基材層２２２とを接着するための層である。接着層２２１を構成する材料としては、光散乱層２３と第２の基材層２２２とを接着できるものであれば特に限定されない。すなわち、接着層２２１を構成する材料としては、公知の粘着剤、接着剤、光硬化性樹脂、熱硬化性樹脂等を挙げることができる。接着層２２１を構成する材料のより具体的な例としては、アクリル系の粘着剤を挙げることができ、さらに具体的にはアクリル系共重合体とイソシアネート化合物とを組み合わせた粘着剤を挙げることができる。ただし、接着層２２１を構成する材料は、採光シート２２０の性質上、透光性、耐候性に優れた材料であることが好ましい。
【０１００】
接着層２２１の厚さは特に限定されないが、１０μｍ以上１００μｍ以下であることが好ましい。接着層２２１の厚さを１０μｍ以上とすることによって、光散乱層２３と第２の基材層２２２との密着性を向上させやすくなる。また、接着層２２１の厚さを１００μｍ以下とすることによって、接着層２２１の厚さを均一にしやすくなる。
【０１０１】
第２の基材層２２２は、第２の光散乱層２２３を形成するための基材となる層である。第２の基材層２２２は基材層２２と同様の構成とすることができるため、詳細な説明は省略する。
【０１０２】
第２の光散乱層２２３は第２の光透過部２２４および第２の光散乱部２２５を有している。採光シート２２０が建物開口部に配置された姿勢で、第２の光透過部２２４および第２の光散乱部２２５は、水平方向に延在するとともに鉛直方向に並列される。図１１には第２の光透過部２２４のみが表れ、第２の光散乱部２２５は表れていない。第２の光散乱層２２３について詳細に説明するため、図１２には第２の光散乱層２２３および第２の基材層２２２の鉛直方向断面の一部を概略的に示した。図１２の紙面左が室外側、紙面右が室内側、紙面上が天側、紙面下が地側となる。
【０１０３】
第２の光透過部２２４は、図１２に示した断面を有して第２の基材層２２２の面に沿った一方向（建物１に配置された姿勢で水平方向）に延びるように配置されるとともに、該一方向とは異なる方向（建物１に配置された姿勢で鉛直方向）の第２の基材層２２２の面に沿って所定の間隔で複数並列されている。本実施形態では隣り合う第２の光透過部２２４は第２の基材層２２２側の端部で連結され、一体化されている。
一方、第２の光散乱部２２５は隣り合う第２の光透過部２２４の間に配置されている。
【０１０４】
第２の光透過部２２４は、光を透過する部位であり、第２の光散乱層２２３のうち第２の光透過部２２４が配置された部位における第２の基材層２２２側の面とその反対側面（パネル１３側の面）とが平行に形成されている。これによって、採光シート２２０を通して室外側の景色がさらに見やすくなる。好ましくは、第２の光透過部２２４は光を散乱させることなく透過する。これにより背面側の景色の見易さが向上する。ここに「光を散乱させることなく透過する」とは、意図的に散乱させる材料等を添加することなく形成された部位であることを意味し、材料中を光が透過するときに不可避的に散乱が生じることは許容される。
【０１０５】
本実施形態では第２の光透過部２２４は図１２に表れる断面で２つの第２の光散乱部２２５間において略台形の断面を有しており、室内側（第２の基材層２２２側）が長い下底、室外側（パネル１３側）が短い上底であり、第２の光散乱部２２５との界面を構成する辺が脚部となっている。
【０１０６】
第２の光透過部２２４を構成する材料としては、上述した光透過部２４と同様のものを用いることができる。
ここで第２の光透過部２２４を構成する材料の屈折率は、第２の基材層２２２の屈折率と同じであってもよいし、異なっていてもよい。ただし両者間で屈折率差があるとその界面で光が偏向されてしまう可能性が高まるので、同じ材料であること、又は異なる材料であっても屈折率差が小さい、あるいは屈折率差がないことが好ましい。
【０１０７】
第２の光散乱部２２５は、隣り合う２つの第２の光透過部２２４間に形成される部位である。すなわち、上記したように第２の光透過部２２４はシート面に沿った方向に所定の間隔で並列され、第２の光透過部２２４間には、略台形断面を有する凹部が形成されている。本実施形態における当該凹部は、室内側（第２の基材層２２２側）に短い上底、室外側（パネル１３側）に長い下底を有する断面の溝であり、ここに第２の光散乱部２２５を構成する材料が充填されることにより、第２の光散乱部２２５が形成されている。従って、第２の光散乱部２２５は上記凹部に基づいた断面を具備している。
【０１０８】
第２の光散乱部２２５は、ここに照射された光を散乱反射することができるように構成された層である。そのため、第２の光散乱部２２５には光を散乱反射するための材料が充填されている。そのような材料としては、上述した光散乱部２５と同様のものを用いることができる。
【０１０９】
第２の光散乱部２２５に用いるバインダーの屈折率は特に限定されることはないが、汎用性から１．５６から１．４９の範囲が好ましい。また、第２の光透過部２２４と第２の光散乱部２２５との界面に全反射臨界角より大きい角度で入射した外光を全反射させて偏向させる観点からは、第２の光散乱部２２５に用いるバインダーの屈折率は第２の光透過部２２４を構成する材料の屈折率より低いことが望ましく、１．５０から１．４９であることがより好ましい。上記のように偏向された光は、その向きが変わり、例えば天井に照射されるなどして、まぶしさを与える直達光でなくすことができる。
ただし、これに限らず第２の光散乱部２２５に用いるバインダーの屈折率と第２の光透過部２２４を構成する材料の屈折率とを同じ、又は近い大きさとしてもよい。
【０１１０】
さらに、本実施形態では第２の光散乱部２２５は次のような構成を備えている。図１２を参照しつつ説明する。
【０１１１】
２つの第２の光散乱部２２５の間には上記のように第２の光透過部２２４が配置される。従って、図１２にＸＩＩａで示したように第２の光透過部２２４の対角線に相当する線を定義することができる。より詳しくは、採光シート２２０が建物開口部に配置された姿勢での第２の光散乱層２２３の厚さ方向の鉛直断面において、隣り合う第２の光散乱部２２５の向かい合う辺について、一方の辺の室内側端部と、他方の辺の室外側端部とを結ぶ線を見込み線ＸＩＩａとする。また、当該見込み線ＸＩＩａが採光シート２２０のシート面の法線となす角のうち９０°より小さい方の角を見込み角θ２１とする。本実施形態では当該θ２１が所定の値をとることが好ましい。θ２１の具体的な説明は太陽光の光路に関係するので、後で光路例とともに説明する。
【０１１２】
また、第２の光散乱部２２５の台形断面における脚部は、図１２からわかるように、上方側となる脚部は水平面（採光シート２２０のシート面の法線）に対してθＵを有して傾斜し、下方側となる脚部は同様にθＤを有して傾斜している。
θＵは後述するように、この斜辺で全反射した光をできるだけ上方に偏向する観点から決められることが好ましい。そのため、θＵを０°とすることができる。また、θＵおよびθＤは、第２の光散乱層２２３の作製を容易にする等の観点から０°以上３０°以下とすることが好ましい。
【０１１３】
第２の光散乱部２２５が並列されるピッチは特に限定されず、上述した光散乱部２５と同様とすることができる。また、第２の光散乱部２２５の鉛直断面のうち、室内側（第２の基材層２２２と反対側で第２の光透過部２２４間の凹部の開口側）の大きさも特に限定されず、上述した光散乱部２５と同様とすることができる。さらに、第２の光散乱部２２５の厚さ方向の大きさ（図１２の紙面左右方向）は上記θ２１が所定の値を満たす範囲であれば特に限定されず、上述した光散乱部２５と同様とすることができる。
【０１１４】
本実施形態では第２の光散乱部２２５の断面がθＷ＝θＥである等脚台形の例を説明したが、必ずしもこれに限らず、上述した光散乱部２５と同様に様々な形状とすることができる（図５参照）。
【０１１５】
また、第２の光散乱部２２５と第２の光透過部２２４との界面で光を散乱反射させ易くするという観点から、第２の光散乱部２２５と第２の光透過部２２４との界面を微小な凹凸が無数に形成された面であるマット面としてもよい。
【０１１６】
以上説明した採光シート２２０を具備する採光パネル２１２を用いて、上述した採光パネル１２と同様にして採光装置を形成し、これを採光パネル１２と同様にして図１に示したように建物１の開口部に配置する。次に、このように採光シート２２０が配置された場面における作用、及び上記説明した見込み角θ２１の好ましい値について、主要な光路例に基づいて説明する。説明に必要な光路例を以下に示す図面に適宜表した。なお、各図面に表した光路例は概念的なものであり、屈折、反射の程度等を厳密に表したものではない。
【０１１７】
図１３に１つの光路例である太陽からの光ＬＳ２を示した。図１３は、採光シート２２０の鉛直方向断面のうち第２の光散乱層２２３および採光シート２２０より室外側の層の一部分を示した図であり、当該部分に入射した太陽光の光路例を併せて示した図である。光散乱層２３の作用等については上述した通りであるので、以下には第２の光散乱層２２３の作用について主に説明する。
【０１１８】
図１３からわかるように光ＬＳ２はそのときの太陽高度に基づいて仰角（水平面からなす角）θＳ２で採光パネル２１２に照射される。採光パネル２１２に斜め上方から入射した光ＬＳ２は採光パネル２１２を透過するうちに第２の光散乱層２２３の第２の光透過部２２４内を進む。第２の光透過部２２４内では、該第２光透過部２２４の屈折率をＮＰ２、室外の屈折率をＮ０とすれば、光ＬＳ２は、式（５）で表される太陽光進行角θＰ２で進む。
【０１１９】
【数５】
2014115532.tif 000007
【０１２０】
太陽光進行角θＰ２で進行した光ＬＳ２が第２の光透過部２２４と第２の光散乱部２２５との界面に達したとき、第２の光透過部２２４と第２の光散乱部２２５との屈折率差、及び太陽光進行角θＰ２の関係が全反射臨界角以上であれば図１３のように光ＬＳ２は当該界面で全反射する。これにより光ＬＳ２が偏向されて、まぶしさの原因となる直達光を抑制することが可能となる。
【０１２１】
ここで、偏向される向きは第２の光透過部２２４と第２の光散乱部２２５と界面に入射する角度である太陽光進行角θＰ２、及び第２の光散乱部２２５の傾斜角であるθＵに依存する。従って、ここで全反射した光が水平より上向きとなるようにθＵが決められることが好ましい。その中でも、全反射光の全てが上向きとなるように偏向することができることから、θＵ＝０°にすることができる。
【０１２２】
図１４には他の光路例である太陽からの光ＬＳ３を示した。図１４からわかるように光ＬＳ２はそのときの太陽高度に基づいて仰角（水平面からなす角）θＳ３で採光パネル２１２に照射される。採光パネル２１２に斜め上方から入射した光ＬＳ３は採光パネル２１２を透過するうちに第２の光散乱層２２３の第２の光透過部２２４内を進む。第２の光透過部２４内では、第２の光透過部２４の屈折率をＮＰ２、室外の屈折率をＮ０とすれば、光ＬＳ３は、式（６）で表される太陽光進行角θＰ３で進む。
【０１２３】
【数６】
2014115532.tif 000008
【０１２４】
太陽光進行角θＰ３で進行した光ＬＳ３が第２の光透過部２２４と第２の光散乱部２２５との界面に達したとき、第２の光透過部２２４と第２の光散乱部２２５との屈折率差、及び太陽光進行角θＰ３の関係が全反射臨界角未満であれば図１４のように光ＬＳ２は第２の光散乱部２２５内に侵入し、ここで散乱反射されて室内側に出射される。また、第２の光透過部２２４と第２の光散乱部２２５との間に屈折率差が無ければ、第２の光透過部２２４と第２の光散乱部２２５との界面に達した全ての光は第２光散乱部２２５内に入射して同様に散乱反射して室内側に出射される。
【０１２５】
以上からわかるように、採光シート２２０によれば、見込み角θ２１によらず光ＬＳ２、ＬＳ３のように太陽光の少なくとも一部を全反射で偏向させ、及び／又は散乱反射させて室内側に提供することができ、太陽光の室内への入射量を大きく減じることなく、かつ、少なくとも一部の直達光（いわゆる直射日光）をなくすことができる。これにより明るく、快適な室内空間を形成することができる。
【０１２６】
さらに、採光シート２２０には上記したように第２の光透過部２２４が備えられており、第２の光透過部２２４が配置される部位の第２の光散乱層２２３の表裏面は平行、平滑に形成されている。これにより、図１３に示したように室外側の景色を伴う光ＬＫ２は歪が抑制されて室内に入射することができ、これは室内側から室外側の景色を視認することができることを意味する。従って、採光シート２２０は、さらに室外側の景色を視認し易い構造を具備している。
【０１２７】
上記のように採光シート２２０によれば、見込み角θ２１によらず、効率よく室内に太陽光を取り入れつつも斜め上方から入射する直達光の少なくとも一部をなくすことができる。ただし、より効果的に太陽光を第２の光散乱部２２５に照射させ、太陽光を散乱させて室内側に出射させる観点から、見込み角θ２１を所定の角度範囲に規定することが好ましい。以下に詳しく説明する。
【０１２８】
図１５に説明図を示した。ここでは、一年のうち最も南中高度が高いときの仰角θＳＨを考える。すなわち、少なくとも一年のうちで最も南中高度が高いときの仰角θＳＨで太陽光が斜め上方から採光パネル２１２に入射したときに、太陽光からの直接光を全て第２の光散乱部２２５に到達させる観点からθ２１を規定することができる。図１５からわかるように、仰角θＳＨで入射した光ＬＳＨが必ず第２の光散乱部２２５に達するための限度は、第２の光透過部２２４内を光ＬＳＨが見込み線ＸＩＩａ（図１２参照）に沿って進む状況である。すなわち、第２の光透過部２２４内における太陽光進行角θＰＨが見込み角θ２１と同じとなっていればよい。従って、これは、空気の屈折率をＮ０、第２の光透過部２２４の屈折率をＮｐ２としたとき、屈折率、及び入射角の関係式により下記式（７）で表される。
【０１２９】
【数７】
2014115532.tif 000009
【０１３０】
式（７）から、見込み角θ２１が下記式（８）を満たすように構成することにより、少なくとも一年のうちで最も南中高度が高いときの仰角θＳＨで太陽光が斜め上方から採光パネル２１２に入射したときに、太陽光からの直接光を全て第２の光散乱部２２５に到達させることができる。
【０１３１】
【数８】
2014115532.tif 000010
【０１３２】
θＳＨは、所定の場所における南中高度が最も高い位置における仰角であるから、当該所定の場所ではこれ以上角度の大きい仰角は存在しない。従って、これより低い所定の仰角の太陽光までをも同様に第２の光散乱部２２５に全て到達させるためには、式（７）、式（８）を満たしつつ、さらに式（７）、式（８）のθＳＨのかわりに当該所定の仰角を代入すれば同様にθ２１のとるべき値を得ることができる。
【０１３３】
例えば、一年のうち南中高度が最も高い時の仰角θＳＨと、一年のうち南中高度が最も低い時の仰角θＳＬとの間の仰角θＳＭ以上の仰角からの直接の太陽光を第２の光散乱部２２５に到達させたいときには、式（８）を満たしつつ下記式（９）を満たすように見込み角θ２１を形成すればよい。
【０１３４】
【数９】
2014115532.tif 000011
【０１３５】
このように見込み角θ２１を所定の角度にするための手段は、第２の光散乱部２２５のピッチ、第２の光散乱部２２５の脚部の角度（図１２のθＵ、θＤ）、第２の光散乱部２２５の厚さ方向（図１２の紙面左右方向）の大きさ、第２の光透過部２２４の屈折率を変更することを挙げることができる。これらを単独、又は複数組み合わせてθ２１を所定の角度に調整することが可能である。
【０１３６】
このようにθ２１を小さくすることにより、季節による南中高度の違いだけでなく、一日のうちにおける太陽の高さの移動に伴う仰角の変化に対しても対応することができ、より多くの太陽光を光散乱部に到達させて全反射や散乱反射し、室内側に提供することが可能となる。
【０１３７】
一方で、θ２１を小さくすることにより第２の光散乱層２２３が厚くなったり、第２の光透過部２２４が小さくなったりすることもある。これらにより、室外側の視認性が低下する虞もある。かかる観点から、θ２１の下限は例えば、図１６に示したように一年のうち最も南中高度が低いときの仰角θＳＬからの直接の太陽光を全て第２の光散乱部２２５に到達させる観点からθ２１の下限を決めてもよい。図１６に説明のための図を示した。
基本的な考え方は式（７）、式（８）の算出と同様であるから、図１６からわかるように、仰角θＳＬによる太陽光ＬＳＬが見込み線ＸＩＩａに沿うように進むことを考えればよいので、式（１０）を得ることができる。
【０１３８】
【数１０】
2014115532.tif 000012
【０１３９】
ここで、θＰＬは、仰角θＳＬのときの第２の光透過部２２４内の太陽光進行角である。従って、式（８）及び式（１０）を求めた趣旨から式（１１）を得ることができる。
【０１４０】
【数１１】
2014115532.tif 000013
【０１４１】
ここでより具体的な例を挙げる。日本国内を考えたとき、札幌、東京、沖縄における一年のうち南中高度が最も高い時の仰角（θＳＨ）、一年のうち南中高度が最も低いときの仰角（θＳＬ）をそれぞれ表１に示した。
【０１４２】
【表１】
2014115532.tif 000014
【０１４３】
表１に基づいて、日本国内におけるθ１の範囲を式（１２）又は式（１３）のように構成してもよい。
【０１４４】
【数１２】
2014115532.tif 000015
【０１４５】
【数１３】
2014115532.tif 000016
【０１４６】
式（１２）によれば、日本国内の概ね全域において少なくとも夏至における南中高度からの太陽光の全ての直射光を光散乱部に到達させることができる。また、式（１３）によれば、さらに高い視認性を有しつつ、多くの太陽光を光散乱部に到達させることが可能である。
【０１４７】
これまでに説明したように、第２の光散乱層２２３によれば斜め上方から入射する直達光を減らすことができる。また、上述したように、光散乱層２３によれば斜め横方向から入射する直達光を減らすことができる。よって、採光シート２２０によれば、上方及び斜め横方向からの直達光を減らすことができる。
【０１４８】
採光シート２０と同様に、採光シート２２０は上記した各層のいずれかに、他の機能を付加させるための構成を備えてもよい。
【０１４９】
以上説明した採光パネル２１２は例えば次のように製造することができる。すなわち、採光パネル２１２は、パネル１３に採光シート２２０を貼合することによって製造することができる。ここで採光シート２２０は、例えば次のように作製することができる。
【０１５０】
採光シート２２０は、光散乱層２３、基材層２２およびハードコート層２１を含む積層シートを上述した採光シート２０と同様の方法で作製した後、接着層２２１を介して、第２の基材層２２１の一方の面側に第２の光散乱層２２３が形成された積層シートを貼合することによって製造できる。第２の光散乱層２２３は、光散乱層２３と同様にして形成できる。なお、接着層２２１は、第２の基材層２２２の一方の面側に第２の光散乱層２２３を形成する前に第２の基材層２２２の他方の面側に形成しておいてもよく、光散乱層２３と第２の基材層２３３とを貼り合わせる際に光散乱層２３または第２の基材層２２２の表面に形成してもよい。接着層２２１が紫外線硬化性樹脂等からなる場合には、接着層２２１を介して光散乱層２３と第２の基材層２２２とを積層した後に紫外線等を照射して硬化させればよい。
【０１５１】
これまでの採光シート２２０の説明では、光散乱層２３の光透過部２４及び光散乱部２５が鉛直方向に延在するとともに水平方向に並列し、第２の光散乱層２２３の第２の光透過部２２４及び第２の光散乱部２２５が水平方向に延在するとともに鉛直方向に並列する形態について説明した。しかしながら、本発明は係る形態に限定されない。光散乱部および第２の光散乱部は、採光シートの正面視においてそれぞれ水平方向または鉛直方向に対して傾斜した方向に並列されていてもよい。
【０１５２】
また、これまでの採光シート２２０の説明では、光散乱層２３および第２の光散乱層２２３の表裏が同一方向、すなわち、光散乱層２３および第２の光散乱層２２３のどちらについても基材層が室内側となるように配置された形態を例示して説明した。しかしながら、本発明は係る形態に限定されない。光散乱層と第２の光散乱層のどちらか若しくは両方が図示した形態と表裏が反対、すなわち、基材層が室外側となるように配置された形態であってもよい。
【０１５３】
また、これまでの採光シート２２０の説明では、光散乱部２５と第２の光散乱部２２５とを備える形態を例示して説明したが、本発明はかかる形態に限定されない。光散乱部２５と第２の光散乱部２２５のどちらか若しくは両方を、光散乱部２５’のようにそこに到達した光を透過散乱させて室内側に出射できるようにしてもよい。
【０１５４】
また、これまでの採光シート２２０の説明では、鉛直方向に延在するとともに水平方向に並列した光透過部２４及び光散乱部２５を備える光散乱層２３が、水平方向に延在するとともに鉛直方向に並列する第２の光透過部２２４及び第２の光散乱部２２５を備える第２の光散乱層２２３よりも室内側に備えられる形態について説明した。しかしながら、本発明は係る形態に限定されない。すなわち、第２の光散乱層２２３が光散乱層２３より室内側に備えられる形態とすることもできる。ただし、以下の理由から、採光シート２２０のように光散乱層２３が第２の光散乱層２２３よりも室内側に備えられる方が好ましい。
【０１５５】
上述したように、第２の光散乱層２２３では、第２の光透過部２２４を構成する材料の屈折率を第２の光散乱部２２５に用いるバインダーの屈折率より大きくすることによって、第２の光透過部２２４と第２の光散乱部２２５との界面で、斜め上方から入射した外光を全反射させて偏向させることが好ましい。一方、上述したように、光散乱層２３では、斜め横方向から光透過部２４と光散乱部２５との界面に到達した外光を全反射させずに光散乱部２５に取り込んで散乱させることが好ましい。このような第２の光散乱層２２３が光散乱層２３より室内側に備えられる形態とした場合は、光散乱層２３で散乱された光が第２の光散乱層２２３に到達することとなり、上記のように第２の光透過部２２４と第２の光散乱部２２５との界面で外光を適切に全反射させて偏向できるように設計することが難しくなる。
【実施例】
【０１５６】
以下に示す各実施例及び比較例では、東京にある建物の南面の窓における夕日（日の入り直前の日光）を考慮した例を説明する。
【０１５７】
（実施例１）
実施例１では採光シート２０を備える採光パネル１２の例による採光パネルを作製した。図１７に実施例１における光散乱層の形状を表した。実施例１に係る採光シート２０の詳細は下記の通りである。
【０１５８】
（１）光透過部構成組成物の調整
ビスフェノールＡエチレンオキシド／キシリレンジイソシアネート／フェノキシエチルアクリレート／２−ヒドロキシエチルアクリレート／ビスマストリ（２−エチルヘキサノエート）＝３０：１５：５０：５：０．０２で混合し、８０℃で１０時間反応させ、光硬化性プレポリマー（Ｐ１）を得た。
一方、ビスフェノールＡエチレンオキシド／イソホロンジイソシアネート／フェノキシエチルアクリレート／ビスマストリ（２−エチルヘキサノエート）＝３０：２０：５０：０．０２で混合し、８０℃で時間反応させ、光硬化性プレポリマー（Ｐ２）を得た。
次に、光硬化性プレポリマー（Ｐ１）を３０質量部、光硬化性プレポリマー（Ｐ２）を３０質量部、反応性希釈モノマー（Ｍ１）としてのフェノキシエチルアクリレート１０質量部、反応性希釈モノマー（Ｍ２）としてのビスフェノールＡエチレンオキシド３０質量部、金型離型剤（Ｓ１）としてのテトラデカノールエチレンオキシド１０モル付加物のリン酸エステル０．０３質量部、金型離型剤（Ｓ２）としてのステアリルアミンエチレンオキシド１５モル付加物０．０３質量部、及び光重合開始剤（Ｉ１）としての１−ヒドロキシシクロヘキシルフェニルケトン（商品名：イルガキュア１８４、メーカー名：ＢＡＳＦ）を３質量部混合し、均一化して、光透過部構成組成物を得た。
なお、この光透過部構成組成物を厚さ１００μｍで塗工し、高圧水銀灯により８００ｍＪ／ｃｍ２の紫外線を照射して光透過部構成組成物を硬化させ、多波長アッベ屈折率計（株式会社アタゴ製）を用いて、５８９ｎｍの屈折率を測定したところ、１．５５０であった。
【０１５９】
（２）基材
基材層として用いる基材としては、ポリエチレンテレフタレートフィルム（商品名：Ａ４３００、東洋紡績社製、厚さ１００μｍ）を用いた。
【０１６０】
（３）金型ロールの作製
光散乱層の作製に供される金型ロールを作製した。金型ロールは円柱状であり、銅メッキが施され、当該銅メッキ部分をバイトにより切削して光透過部に対応する溝を形成した。バイトとしてはダイヤモンドバイトを用いた。ロール軸方向の所定ピッチで金型ロールの銅メッキ層の外周を切削して溝を形成した。この切削したロールの表面にクロムメッキを施した。
【０１６１】
（４）光透過部の形成
上記（３）で作製した金型ロールと、別途準備したニップロールとの間に、上記（２）で説明した基材を搬送した。この基材の搬送に合わせ、上記（１）で得られた光透過部構成組成物を供給装置から基材上に供給し、金型ロールおよびニップロール間の押圧力により、基材と金型ロールとの間に光透過部構成組成物を充填した。その後、基材側から高圧水銀灯により８００ｍＪ／ｃｍ２の紫外線を照射して光透過部構成組成物を硬化させて、光透過部を形成した。その後、剥離ロールにより、金型ロールから光透過部を離型し、基材層上に光透過部が形成されたシート（中間部材）を作製した。
【０１６２】
この光透過部について圧縮式微小硬度計（ＦＩＳＣＨＥＲ  ＨＭ２０００）を用いて微小圧子材料に負荷をかけ、これを除荷することによって弾性率を測定した。このとき、負荷力は１００ｍＮ、負荷速度は４μｍ／１０秒、保持時間は６０秒とした。その結果、光透過部の弾性率は８００ＭＰａであった。
【０１６３】
（５）光散乱部構成組成物の調整
光透過部構成組成物を構成する原料と同一原料に、酸化チタンを５質量部混合し、均一化して、光散乱部を構成する組成物を得た。
【０１６４】
（６）光散乱部の形成
上記（５）で得られた光散乱部を構成する組成物を、上記（４）で作製した中間部材の光透過部上に供給装置から供給した。また、中間部材の進行方向と略垂直延びるように配置されたドクターブレードを用いて、中間部材上に供給した光散乱部構成組成物を中間部材に形成された溝（光透過部間の溝）内に充填するとともに、余剰分の光散乱部を構成する組成物を掻き落とした。その後、高圧水銀灯により８００ｍＪ／ｃｍ２の紫外線を照射して光散乱部構成組成物を硬化させ、硬化した光散乱部構成組成物によって光散乱部を形成した。この状態では、光散乱部の表面には、深さ６μｍの窪みが発生していた。上記工程を更に１回行ったところ、光散乱部の表面の窪みは深さ３μｍであった。
このようにして、基材層と該基材層上に形成された光散乱層を含む採光シートを作製した。
【０１６５】
（７）接着層の形成
アクリル系樹脂の粘着剤（商品名：ＳＫダイン２０９４、綜研化学株式会社、固形分２５．０％、溶剤は酢酸エチルとメチルエチルケトン）を１００質量部と、架橋剤（Ｅ−５ＸＭ、Ｌ−４５、綜研化学株式会社、固形分５．０％）を０．２８質量部と、１，２，３−ベンゾトリアゾールを０．２５質量部と、希釈溶剤（トルエン／メチルエチルケトン／シクロヘキサノン＝２７．６９ｇ／２７．６９ｇ／４．６１ｇ）を３２．０質量部と、を混合して粘着剤組成物を得た。この組成物を離型フィルム（商品名：Ｅ７００７、東洋紡績社製、厚さ３８μｍ）に塗布して乾燥させ、上記光散乱層の面と貼り合わせた。なお、この接着層について、多波長アッベ屈折計ＤＲ−Ｍ４（株式会社アタゴ製）を用いて５８９ｎｍの屈折率を測定したところ、１．４９であった。また、この接着層の貯蔵弾性率は０．２２ＭＰａであった。
【０１６６】
（８）採光パネルの作製
上記のようにして形成した接着層によって、透光性を有する板状のパネルに光散乱層を含む採光シートを貼合し、採光パネルを作製した。その後、光透過部および光散乱部が鉛直方向に延在するとともに水平方向に並列されるようにして、採光パネルを建物の南面の開口部に配置した。
【０１６７】
（比較例１）
光透過部および光散乱部の並列方向以外は実施例１と同様にして、比較例１にかかる採光パネルを作製した。比較例１では、光透過部および光散乱部が水平方向に延在するとともに鉛直方向に並列する形態とした。
【０１６８】
（比較例２）
光散乱部を以下に説明する光吸収部とした以外は実施例１と同様にして、比較例２にかかる採光パネルを作製した。光吸収部とは、実施例１で用いた散乱剤（酸化チタン）にかえて光吸収粒子（ガンツパール（登録商標）をカーボンで被覆したもの。平均粒径：４μｍ、アイカ工業株式会社製）２０質量部を用いた以外は実施例１の光散乱部と同様に形成される部位である。
【０１６９】
（参考例１）
光散乱部を構成する組成物を以下の組成物とした以外は実施例１と同様にして、参考例１にかかる採光パネルを作製した。
ウレタンアクリレートを４２質量部、エポキシアクリレートを１８質量部、トリプロピレングリコールジアクリレート３５質量部、メトキシトリエチレングリコールアクリレートを５質量部、酸化チタンを５質量部、１−ヒドロキシシクロヘキシルフェニルケトン（商品名：イルガキュア１８４、メーカー名：ＢＡＳＦ）を７質量部混合し、均一化して、光散乱部構成組成物を得た。
なお、この光散乱部構成組成物の散乱剤を除いた成分を厚さ１００μｍで塗工し、高圧水銀灯により８００ｍＪ／ｃｍ２の紫外線を照射して硬化させ、多波長アッベ屈折率計（株式会社アタゴ製）を用いて５８９ｎｍの屈折率を測定したところ、１．４９０であった。
【０１７０】
（評価）
以上に示した各例の採光パネルについて、東京にある建物の南面の窓における夕日（日の入り直前の日光）の直達光及び採光効率を評価した。また、参考例２として透光性を有する板状のパネルのみの（採光シートを貼合していない）例についても同様に評価した。表１に結果を表した。なお、直達光の評価は、建物内におけるまぶしさを主観評価し、まぶしくないと感じた場合を○、直視できないと感じた場合を×とした。採光効率の評価は、建物内の明るさを主観評価し、明るいと感じた場合を○、暗いと感じた場合を×とし、その中間を△とした。
【０１７１】
【表２】
2014115532.tif 000017
【０１７２】
表２の結果からわかるように、実施例１のように光透過部および光散乱部の並列方向を水平方向とすることによって、光透過部および光散乱部が鉛直方向に並列する比較例１よりも、朝夕の直達光を減らし、且つ、高い採光効率を得ることができた。光吸収部を有する比較例２にかかる採光パネルでは、太陽光の一部が光吸収部で吸収されてしまうため、採光効率が良くなかった。参考例１にかかる採光パネルでは、採光効率は良好であったが、光透過部と光散乱部との界面で太陽光が反射され、直達光を十分に抑制することができなかった。
【符号の説明】
【０１７３】
１  建物
１０  採光装置
１１  枠
１２  採光パネル
１３  パネル
２０  採光シート
２１  ハードコート層
２２  基材層
２３  光散乱層
２４  光透過部
２５  光散乱部
２６  接着層
１１２  採光パネル
１２０  採光シート
１２１  保護層
１２２  接着層
１２３  光散乱層
１２４  光透過部
１２５  光散乱部
２１２  採光パネル
２２０  採光シート
２２１  接着層
２２２  第２の基材層
２２３  第２の光散乱層
２２４  第２の光透過部
２２５  第２の光散乱部
【図１】
2014115532.tif 000018
【図２】
2014115532.tif 000019
【図３】
2014115532.tif 000020
【図４】
2014115532.tif 000021
【図５】
2014115532.tif 000022
【図６】
2014115532.tif 000023
【図７】
2014115532.tif 000024
【図８】
2014115532.tif 000025
【図９】
2014115532.tif 000026
【図１０】
2014115532.tif 000027
【図１１】
2014115532.tif 000028
【図１２】
2014115532.tif 000029
【図１３】
2014115532.tif 000030
【図１４】
2014115532.tif 000031
【図１５】
2014115532.tif 000032
【図１６】
2014115532.tif 000033
【図１７】
2014115532.tif 000034